(57)【要約】【課題】  検査における操作者の入力負担を軽減することができる医用画像診断装置を提供する。【解決手段】  操作者が入力装置を用いて所望の検査計画及び過去検査内容を選択すると、制御部はその所望の検査計画に含まれる処理の条件を表示装置に出力し、モニタ画面１０ａ上の所定の表示欄内に撮影条件、画像データ転送先などを表示させ、さらに、過去検査内容に含まれる処理の条件を表示装置に出力し、モニタ画面１０ａ上の所定の表示欄内に過去の撮影条件などを表示させる。また、制御部２は、モニタ画面１０ａ上に、これから実施する処理で得られる予定の画像を表示するための表示欄４４を表示させる。これから実施する検査内容と、過去に実施された検査内容とを表示装置に同時に表示させることで、過去検査を参照しながら容易に現在の検査内容を変更することが可能となる。【選択図】      図３
2006334294.tif 000002
【特許請求の範囲】
【請求項１】
複数の処理の手順を含む複数の検査計画を記憶するとともに、前記検査計画に対応させて前記処理の条件を記憶した記憶手段と、
入力手段により所望の検査計画が選択されると、前記記憶手段から前記選択された検査計画及び前記処理の条件を取得する読み込み手段と、
前記取得された処理の条件を表示手段に表示させるとともに、前記処理を実行することで得られる情報を表示するための表示欄を前記表示手段に表示させる表示制御手段と、
前記取得された検査計画に含まれる処理を実行する実行手段と、
を有することを特徴とする医用画像診断装置。
【請求項２】
被検体の画像データを収集する撮影手段と、
前記撮影手段による画像データ収集処理を含む複数の処理の手順を含む検査計画を記憶するとともに、前記検査計画に対応させて前記処理の条件を記憶した記憶手段と、
所望の検査計画を選択するための入力手段と、
前記選択された検査計画の処理の条件を表示手段に表示させるとともに、前記選択された検査計画の処理を実行することで得られる情報を表示するための表示欄を前記表示手段に表示させる表示制御手段と、
前記選択された検査計画の手順に沿って、前記選択された検査計画の処理の条件に従って、少なくとも前記撮影手段に対して画像データを収集させる制御手段と、
を有することを特徴とする医用画像診断装置。
【請求項３】
前記記憶手段は、過去に実施された処理の条件、及び過去に実施された処理により得られた情報を更に記憶し、
前記入力手段により前記所望の検査計画が選択され、さらに前記過去に実施された処理の条件及び前記過去に実施された処理により得られた情報が選択されると、
前記表示制御手段は、前記選択された検査計画及びその検査計画に対応する処理の条件と、前記選択された過去に実施された処理の条件及び前記過去に実施された処理により得られた情報と、を同時に表示手段に表示させることを特徴とする請求項２に記載の医用画像診断装置。
【請求項４】
前記制御手段は、前記撮影手段に対して、前記過去に実施された処理の条件を、前記所望の検査計画に対応する処理の条件として画像データを収集させることを特徴とする請求項３に記載の医用画像診断装置。
【請求項５】
前記制御手段は、前記過去に実施された処理の条件と前記選択された検査計画とを対応付けて前記記憶手段に記憶させることを特徴とする請求項３又は請求項４のいずれかに記載の医用画像診断装置。
【請求項６】
前記処理の条件には、前記撮影手段による画像データ収集のための撮影条件が含まれ、
前記処理を実行することで得られる情報には、前記撮影手段により収集される画像データが含まれることを特徴とする請求項２乃至請求項５のいずれかに記載の医用画像診断装置。
【請求項７】
前記撮影手段により収集された画像データに対して所定の画像処理を施す画像処理手段を更に有し、
前記検査計画には前記画像処理手段による画像処理が含まれ、
前記処理の条件には、前記画像処理手段による画像処理の条件が含まれ、
前記処理を実行することで得られる情報には、前記画像処理手段により生成された画像データが含まれることを特徴とする請求項２乃至請求項６のいずれかに記載の医用画像診断装置。
【請求項８】
前記撮影手段により収集された画像データを外部装置に出力する出力手段を更に備え、
前記検査計画には前記出力手段による画像データの出力の処理が含まれ、
前記処理の条件には、前記外部装置を識別するための識別子を含むことを特徴とする請求項２乃至請求項７のいずれかに記載の医用画像診断装置。
【請求項９】
前記撮影手段による画像データ収集が終了すると、前記表示制御手段は、前記画像データ収集の終了を前記表示手段に表示させることを特徴とする請求項２乃至請求項８のいずれかに記載の医用画像診断装置。
【請求項１０】
前記画像処理手段による画像処理が終了すると、前記表示制御手段は、前記画像処理の終了を前記表示手段に表示させることを特徴とする請求項７乃至請求項９のいずれかに記載の医用画像診断装置。
【請求項１１】
前記出力手段による画像データの出力が終了すると、前記表示制御手段は、前記画像データ出力の終了を前記表示手段に表示させることを特徴とする請求項８乃至請求項１０のいずれかに記載の医用画像診断装置。
【請求項１２】
前記撮影手段により画像データが収集されると、前記表示制御手段は、前記収集された画像データに基づく画像を前記表示手段の表示欄に順次、表示させることを特徴とする請求項２乃至請求項１１のいずれかに記載の医用画像診断装置。
【請求項１３】
前記画像処理手段により画像処理が施されて新たな画像データが生成されると、前記表示制御手段は、前記生成された新たな画像データに基づく画像を前記表示手段の表示欄に順次、表示させることを特徴とする請求項７乃至請求項１２のいずれかに記載の医用画像診断装置。
【発明の詳細な説明】
【技術分野】
【０００１】
この発明は、Ｘ線ＣＴ装置、ＭＲＩ装置、超音波診断装置、核医学診断装置又はＸ線診断装置などの医用画像診断装置に関し、特に、検査計画に従って所定の処理を実行する医用画像診断装置に関する。
【背景技術】
【０００２】
Ｘ線ＣＴ装置などの医用画像診断装置においては、複数の処理の手順を含む検査計画、及びその処理の条件を、検査のたびに医用画像診断装置に入力して撮影を行っている。
【０００３】
ここで、上記検査計画や撮影条件などについて説明する。検査計画は、検査において実行される一連の処理の手順を示す情報である。具体例として、Ｘ線ＣＴ装置による検査の検査計画の一例を以下に示す。
検査計画の一例：（１）スキャノグラムの撮影、（２）スキャノグラムを使ったスキャン位置の決定、（３）寝台位置の設定、（４）スキャンの実行、（５）スキャンにより収集された画像データを外部記憶媒体へ転送、（６）収集された画像データをＸ線フィルムに撮影。
これら（１）〜（６）の処理内容が検査計画となり、この検査計画の一例によると、（１）〜（６）の処理が順番に実行される。
【０００４】
また、検査計画に含まれる処理の条件として、例えば、撮影条件（撮影のパラメータ）、撮影方式、撮影後の画像処理の内容、収集された画像データの転送先、及び画像データの保存先などが挙げられる。Ｘ線ＣＴ装置の撮影条件には、例えば、Ｘ線管の電流値、撮影ピッチ、再構成ピッチ、ＦＯＶサイズなどが含まれる。
【０００５】
上記画像処理の内容には、医用画像データに対して施される一般的な画像処理が含まれ、例えば、ボリュームレンダリング処理やＭＰＲ処理（Ｍｕｌｔｉ  Ｐｌａｎａｒ  Ｒｅｃｏｎｓｔｒｕｃｔｉｏｎ）などが該当する。
【０００６】
また、ＲＩＳ（放射線部門情報管理システム）、ＨＩＳ（病院情報システム）及びＰＡＣＳ（医用画像保管通信システム）によりネットワークが構築されて、医用画像診断装置がそのネットワークに接続されている場合、医用画像診断装置にて収集された画像データは、ＰＡＣＳの画像サーバなどに転送されて保管される。この場合、ＰＡＣＳの画像サーバなどが画像データの転送先となる。また、画像データの保存先として、磁気ディスクや光ディスクなどの外部記録媒体が該当する。
【０００７】
また、患者の患部や症状などに合わせた検査計画及び処理の条件を検査テンプレートとして医用画像診断装置に予め記憶させておき、撮影の際にその検査テンプレートを選択することにより、選択された検査計画を実行することが行われている（例えば特許文献１）。
【０００８】
【特許文献１】特許第３２８５８５３号
【発明の開示】
【発明が解決しようとする課題】
【０００９】
ところで、撮影の際に、操作者が医用画像診断装置に予め記憶されている検査テンプレートを選択した後に、患者や疾病などに合わせるため、その検査テンプレートに含まれる検査計画、撮影条件、画像処理の内容、又は画像データの転送先などを変更（調整）する場合がある。例えば、検査計画の一部変更、撮影条件の追加、画像処理内容の一部削除、又は画像データの転送先の変更などが行われる場合がある。このように検査計画や撮影条件などが変更（調整）される場合があるが、記憶装置の容量に限界があること、また、検索性に問題があるため、変更後の検査計画や撮影条件などは一般的に保存されることはない。つまり、医用画像診断装置の記憶装置の容量には限度があり、変更後の検査計画や撮影条件などを保存するための容量を確保できないため、変更後の検査計画などを記憶装置に記憶させるが行われていなかった。また、変更後の検査計画などを全て保存すると、膨大な検査計画や撮影条件が記憶装置に記憶されることになるため、所望の検査計画や撮影条件などの検索に時間がかかってしまう。このように所望の検査計画などの検索性が悪くなるため、変更後の検査計画などを記憶装置に記憶させることが行われていなかった。
【００１０】
ところが、手術前の診断部位の状態と手術後の診断部位の状態とを比較する場合においては、手術前の撮影条件と手術後の撮影条件とを同じ条件にして撮影した方が、診断部位の比較が容易になる。また、診断部位の経過観測を行う場合においては、各時間における撮影条件を同じ条件にして撮影を行った方が、診断部位の比較が容易になる。しかしながら、予め記憶されている検査テンプレートに含まれる撮影条件などを変更して手術前に撮影を行った場合、変更後の撮影条件は記憶装置に記憶されずに破棄されていたため、手術後の撮影の際には手術前の撮影条件を記憶装置から読み出して使用することができず、あらためて手術前の撮影条件と同じ条件を装置に入力する必要がある。この場合、手術前の撮影条件をメモなどに書きとめておくか、操作者が覚えている必要があるため、簡便に同一の撮影条件などを設定することができず、操作者の負担になっていた。
【００１１】
この問題を解決するために、過去に実施された検査内容を参照して撮影条件などを設定することも行われている。例えば、Ｘ線ＣＴ装置を用いて医用画像を収集した場合であって、過去に得られたＸ線フィルムに医用画像とともに撮影条件が表示されている場合、操作者が過去のＸ線フィルムに表示されている撮影条件を見ながら、Ｘ線ＣＴ装置にこれから実施する検査の撮影条件などを手入力にて入力していた。Ｘ線フィルムには、Ｘ線管の電流値、撮影ピッチ、再構成ピッチ、ＦＯＶサイズなどの撮影条件が医用画像とともに表示される。操作者はこのＸ線フィルム内の撮影条件を参照して、これから行う撮影の条件をＸ線ＣＴ装置に入力していた。しかしながら、Ｘ線フィルムを参照しながら撮影条件を入力する必要があるため、操作者にとってはその入力が煩わしく、また、誤入力するおそれがあり、誤った条件を入力しないように操作者は慎重に入力する必要があった。
【００１２】
また、検査を実行することで複数の画像データが収集された場合、画像データの生成枚数、画像データの転送先の装置名、画像データの保存先の記録装置名などが表示装置に表示されなかったため、操作者は画像データの枚数、転送先又は保存先を簡便に確認することができなかった。また、画像収集、画像処理、画像データの保存からなる一連の処理を実行する場合、現在、どこまでの処理が完了しているのかが表示装置に表示されないため、操作者は作業状態を確認することが困難であった。特に、数十件もの検査を同じ医用画像診断装置で実施する場合、複数人の放射線技師がかわるがわる同じ装置により撮影や画像処理などの作業を行うため、処理の進行状況や生成された画像データの転送先などが表示装置に表示されないと、自分が担当している検査の進行状況や画像処理の進行状況などを把握しづらい問題があった。
【００１３】
この発明は上記の問題点を解決するものであり、検査における操作者の入力負担を軽減することができる医用画像診断装置を提供することを目的とする。また、検査の進行状況を可視化することで、検査業務の効率化を図り、操作者の負担を軽減することができる医用画像診断装置を提供することを目的とする。
【課題を解決するための手段】
【００１４】
請求項１記載の発明は、複数の処理の手順を含む複数の検査計画を記憶するとともに、前記検査計画に対応させて前記処理の条件を記憶した記憶手段と、入力手段により所望の検査計画が選択されると、前記記憶手段から前記選択された検査計画及び前記処理の条件を取得する読み込み手段と、前記取得された処理の条件を表示手段に表示させるとともに、前記処理を実行することで得られる情報を表示するための表示欄を前記表示手段に表示させる表示制御手段と、前記取得された検査計画に含まれる処理を実行する実行手段と、を有することを特徴とする医用画像診断装置である。
【００１５】
請求項２に記載の発明は、被検体の画像データを収集する撮影手段と、前記撮影手段による画像データ収集処理を含む複数の処理の手順を含む検査計画を記憶するとともに、前記検査計画に対応させて前記処理の条件を記憶した記憶手段と、所望の検査計画を選択するための入力手段と、前記選択された検査計画の処理の条件を表示手段に表示させるとともに、前記選択された検査計画の処理を実行することで得られる情報を表示するための表示欄を前記表示手段に表示させる表示制御手段と、前記選択された検査計画の手順に沿って、前記選択された検査計画の処理の条件に従って、少なくとも前記撮影手段に対して画像データを収集させる制御手段と、を有することを特徴とする医用画像診断装置である。
【００１６】
請求項３に記載の発明は、請求項２に記載の医用画像診断装置であって、前記記憶手段は、過去に実施された処理の条件、及び過去に実施された処理により得られた情報を更に記憶し、前記入力手段により前記所望の検査計画が選択され、さらに前記過去に実施された処理の条件及び前記過去に実施された処理により得られた情報が選択されると、前記表示制御手段は、前記選択された検査計画及びその検査計画に対応する処理の条件と、前記選択された過去に実施された処理の条件及び前記過去に実施された処理により得られた情報と、を同時に表示手段に表示させることを特徴とするものである。
【００１７】
請求項４に記載の発明は、請求項３に記載の医用画像診断装置であって、前記制御手段は、前記撮影手段に対して、前記過去に実施された処理の条件を、前記所望の検査計画に対応する処理の条件として画像データを収集させることを特徴とするものである。
【００１８】
請求項５に記載の発明は、請求項３又は請求項４のいずれかに記載の医用画像診断装置であって、前記制御手段は、前記過去に実施された処理の条件と前記選択された検査計画とを対応付けて前記記憶手段に記憶させることを特徴とするものである。
【００１９】
請求項６に記載の発明は、請求項２乃至請求項５のいずれかに記載の医用画像診断装置であって、前記処理の条件には、前記撮影手段による画像データ収集のための撮影条件が含まれ、前記処理を実行することで得られる情報には、前記撮影手段により収集される画像データが含まれることを特徴とするものである。
【００２０】
請求項７に記載の発明は、請求項２乃至請求項６のいずれかに記載の医用画像診断装置であって、前記撮影手段により収集された画像データに対して所定の画像処理を施す画像処理手段を更に有し、前記検査計画には前記画像処理手段による画像処理が含まれ、前記処理の条件には、前記画像処理手段による画像処理の条件が含まれ、前記処理を実行することで得られる情報には、前記画像処理手段により生成された画像データが含まれることを特徴とするものである。
【００２１】
請求項８に記載の発明は、請求項２乃至請求項７のいずれかに記載の医用画像診断装置であって、前記撮影手段により収集された画像データを外部装置に出力する出力手段を更に備え、前記検査計画には前記出力手段による画像データの出力の処理が含まれ、前記処理の条件には、前記外部装置を識別するための識別子を含むことを特徴とするものである。
【００２２】
請求項９に記載の発明は、請求項２乃至請求項８のいずれかに記載の医用画像診断装置であって、前記撮影手段による画像データ収集が終了すると、前記表示制御手段は、前記画像データ収集の終了を前記表示手段に表示させることを特徴とするものである。
【００２３】
請求項１０に記載の発明は、請求項７乃至請求項９のいずれかに記載の医用画像診断装置であって、前記画像処理手段による画像処理が終了すると、前記表示制御手段は、前記画像処理の終了を前記表示手段に表示させることを特徴とするものである。
【００２４】
請求項１１に記載の発明は、請求項８乃至請求項１０のいずれかに記載の医用画像診断装置であって、前記出力手段による画像データの出力が終了すると、前記表示制御手段は、前記画像データ出力の終了を前記表示手段に表示させることを特徴とするものである。
【００２５】
請求項１２に記載の発明は、請求項２乃至請求項１１のいずれかに記載の医用画像診断装置であって、前記撮影手段により画像データが収集されると、前記表示制御手段は、前記収集された画像データに基づく画像を前記表示手段の表示欄に順次、表示させることを特徴とするものである。
【００２６】
請求項１３に記載の発明は、請求項７乃至請求項１２のいずれかに記載の医用画像診断装置であって、前記画像処理手段により画像処理が施されて新たな画像データが生成されると、前記表示制御手段は、前記生成された新たな画像データに基づく画像を前記表示手段の表示欄に順次、表示させることを特徴とするものである。
【発明の効果】
【００２７】
この発明によると、処理の条件及び処理を実行することにより得られる情報を表示するための表示欄を表示手段に表示させることにより、操作者が処理の条件を入力する必要がないため、操作者の入力負担を軽減することが可能となる。また、処理の条件を表示手段に表示させることで、処理内容全体を容易に把握することが可能となるため、処理内容の確認を容易に行うことが可能となる。
【００２８】
また、検査計画に対応する処理の条件と、過去に実施された処理の条件及び過去に実施された処理により得られた情報と、を同時に表示手段に表示させることにより、これから実施する検査の条件と過去検査の条件との比較を容易に行うことが可能となる。これにより、操作者は過去検査の条件を参照しながら、これから実施する処理の条件を修正することができるため、過去検査の条件と同一の条件を容易に設定することが可能となる。
【００２９】
さらに、過去に実施された処理の条件を、これから実施する処理の条件として画像データの収集を実行することにより、操作者が撮影条件などを入力する手間が省け、手入力による誤入力の防止、及び、操作者の負担を軽減することが可能となる。また、過去検査の条件と同一の条件で画像データの収集が可能となるため、過去に得られた画像との比較を容易に行うことが可能となる。
【００３０】
また、収集された画像や生成された画像を順次、表示欄に表示させることにより、操作者は処理の進行状況を容易に確認することが可能となる。さらに、画像データの収集、生成又は出力が終了すると、収集の終了、生成の終了又は出力の終了を表示手段に表示させることにより、操作者は各処理が完了したことを容易に確認することが可能となる。
【発明を実施するための最良の形態】
【００３１】
この発明の実施形態に係る医用画像診断装置について説明する。まず、この発明の実施形態に係る医用画像診断装置の構成について図１を参照しつつ説明する。図１は、この発明の実施形態に係る医用画像診断装置の概略構成を示すブロック図である。この実施形態に係る医用画像診断装置は、Ｘ線ＣＴ装置、ＭＲＩ装置、超音波診断装置、核医学診断装置又はＸ線診断装置などからなる。
【００３２】
過去検査データ記憶部６はハードディスクなどの記憶装置で構成され、過去に実施された検査計画及び検査内容が記憶されている。過去に実施された検査内容（以下、過去検査内容と称する）には、撮影部１４により収集された画像データ（過去画像データ）、画像処理部１６により画像処理された後の画像データ、撮影部１４による撮影の条件、画像データ転送先の名称、画像データ保管先の名称、検査を担当した放射線技師などの名前、患者名、患者ＩＤ、検査日などが互いに関連付けられて記憶されている。例えば、この過去検査内容に検査番号が付されて過去検査データ記憶部６に記憶されている。そして、過去検査内容は、患者名、患者ＩＤ、検査の担当者名又は検査番号などに基づいて検索可能となっている。
【００３３】
検査テンプレート記憶部４はハードディスクなどの記憶装置で構成され、検査テンプレートファイルが記憶されている。この検査テンプレートファイルには、複数の処理の手順を含む検査計画と、その検査計画に対応させた処理の条件の雛形とが含まれている。処理の条件として、撮影部１４による画像データ収集の条件（以下、撮影条件と称する）、画像処理部１６における画像処理の内容、画像データ転送先及び画像データ保存先が該当する。上記撮影条件は撮影部１４の動作条件であり、例えばＸ線ＣＴ装置の場合、Ｘ線管の電流値、撮影ピッチ、再構成ピッチ、ＦＯＶサイズなどが該当する。また、画像処理の内容とは、ボリュームレンダリング処理やＭＰＲ処理などが該当する。この検査テンプレートファイルは、操作者により予め作成されるファイルである。検査テンプレートファイルは複数種類あり、患者や疾病などに応じて異なるファイルが作成されて検査テンプレート記憶部４に記憶されている。また、この検査テンプレートファイルには、他の検査テンプレートファイルと識別するための識別子が付されている。例えば、頭部の検査に適した検査計画や撮影条件などが含まれる検査テンプレートファイルには、「頭部１」、「頭部２」などの名称（識別子）が付されている。そして、検査テンプレートファイルは、その名称（識別子）に基づいて検索可能となっている。
【００３４】
制御部２は、検査計画に従って、撮影部１４に画像データの収集を実行させ、表示装置１０に画像や撮影条件などを表示させ、画像処理部１６に所定の画像処理を実行させる。
【００３５】
制御部２は、操作部１２を用いて所望の検査テンプレートファイルが選択されると、検査テンプレート記憶部４からその選択された検査テンプレートファイルを取得する。そして、制御部２は、取得した検査テンプレートファイルに含まれる処理の条件（撮影条件、画像データ転送先、及び画像データ保管先）を示す情報を表示装置１０に出力し、表示装置１０にこれから行う検査の処理の条件（撮影条件、画像データ転送先及び画像データ保管先）を表示させる。また、制御部２は、検査テンプレートファイルに含まれる撮影条件を撮影部１４に出力し、その撮影条件で撮影部１４にスキャンを実行させる。さらに制御部２は、検査テンプレートファイルに含まれる画像処理内容を画像処理部１６に出力し、その画像処理内容で画像処理部１６に画像処理を実行させる。
【００３６】
また、制御部２に接続された記憶装置（図示しない）には、表示装置１０のモニタ画面上に表示させるための表示欄のフォーマットが記憶されている。この表示欄は、撮影条件、撮影部１４により収集された画像、画像処理部１６にて生成された画像、画像データの転送先、又は画像データの保管先を表示するための欄である。この表示欄には、撮影条件を表示するための表示欄、収集された画像を表示するための表示欄、画像処理により生成された画像を表示するための表示欄、画像データの転送先を表示するための表示欄、及び画像データの保管先を表示するための表示欄があり、各表示欄のフォーマットが記憶装置に記憶されている。
【００３７】
制御部２が記憶装置から表示欄のフォーマットを読み込み、読み込んだ表示欄のフォーマットを表示装置１０に出力してモニタ画面上の所定の領域に表示欄を表示させる。さらに、制御部２は検査テンプレート記憶部４から取得した検査テンプレートに含まれる撮影条件、画像データ転送先及び画像データ保管先を示す情報を表示装置１０に出力して、表示欄内に撮影条件などを表示させる。このとき制御部２は、撮影条件を表示するための表示欄内に撮影条件を表示させ、画像データの転送先を表示するための表示欄に画像データの転送先を表示させ、画像データの保管先を表示するための表示欄に画像データの保管先を表示させる。
【００３８】
例えば図３に示すように、制御部２は、表示装置１０のモニタ画面１０ａ上の撮影条件を表示するための表示欄４３を表示させるとともに、その表示欄４３内に撮影条件を表示させ、また、画像データ転送先を表示するための表示欄４５を表示させるとともに、その表示欄４５内に画像データ転送先を表示させ、さらに、画像データ保管先を表示するための表示欄４６を表示させるとともに、その表示欄４６内に画像データ保管先を表示させる。
【００３９】
また、制御部２は、検査テンプレート記憶部４に記憶されている検査テンプレートファイルの識別子（名称など）を表示装置１０に表示させる。例えば制御部２は、検査テンプレートファイルの識別子の一覧を表示装置１０に表示させる。操作者は表示装置１０に表示されている検査テンプレートファイルの識別子（名称など）に基づいて、所望の検査テンプレートファイルの選択が可能となる。
【００４０】
画像データ記憶部８はＲＡＭなどの記憶装置で構成され、撮影部１４により収集された画像データ、及び画像処理部１６により生成された画像データを一旦保持する。そして、制御部２が画像データ記憶部８に保持されている画像データを表示装置１０に出力して表示装置１０のモニタ画面上に画像を表示させる。
【００４１】
表示装置１０は、ＣＲＴや液晶ディスプレイなどを備えて構成され、制御部２から出力された表示欄、画像、又は撮影条件などをモニタ画面上に表示する。
【００４２】
操作部１２はキーボードやマウスなどの入力装置であり、操作者が入力装置により所望の検査テンプレートファイルを選択したり、撮影条件などを入力したりする。操作部１２で所望の検査テンプレートファイルが選択されると、制御部２はその選択を示す情報を受け、指定された検査テンプレートファイルを検査テンプレート記憶部４から読み込む。また、操作部１２で撮影条件などが入力されると、制御部２は入力された撮影条件を撮影部１４や表示装置１０に出力する。
【００４３】
撮影部１４は、制御部２から出力された撮影条件に従って、被検体の画像データを収集し、収集した画像データを画像データ記憶部８に出力する。例えば、医用画像診断装置１がＸ線ＣＴ装置である場合、撮影部１４は、Ｘ線源、Ｘ線検出器、Ｘ線源及びＸ線検出器を格納する回転架台（ガントリ）、寝台、再構成処理部などを備えて構成され、制御部２による制御によりＸ線源からＸ線を発生させ、被検体を透過したＸ線をＸ線検出器により検出する。そして、Ｘ線検出器により検出されたＸ線投影データは再構成処理部に出力され、その再構成処理部により公知の再構成処理が施されて２次元の画像データ（断層像データ）が生成される。また、いわゆるヘリカルスキャンが可能なＸ線ＣＴ装置の場合は、撮影部１４は、寝台を被検体の体軸方向に移動させながらスキャンを行なうことにより、１度のスキャンで複数の画像データ（断層像データ）を収集する。ヘリカルスキャンを行なうことにより、１度のスキャンで例えば１０００枚〜４０００枚の画像データが収集される。また、医用画像診断装置１が超音波診断装置やＭＲＩ装置などの場合も、撮影部１４にて被検体の画像データが収集される。
【００４４】
画像処理部１６は、制御部２から出力された撮影条件に従って、撮影部１４により収集された画像データに対してボリュームレンダリング処理やＭＰＲ処理などの画像処理を施すことにより、いわゆる３次元画像データや任意断面における画像データを生成する。そして、画像処理部１６は、生成した画像データを画像データ記憶部８に出力する。例えば、医用画像診断装置１がＸ線ＣＴ装置の場合、画像処理部１６は撮影部１４にて収集された断層像データ（アキシャル像データ）に対してボリュームレンダリング処理やＭＰＲ処理を施すことにより、３次元画像データや、任意断面の画像データや、コロナル像データや、サジタル像データなどを生成する。制御部２は画像データ記憶部８から画像データを読み込み、表示装置１０に画像データを出力して表示装置１０に画像を表示させる。
【００４５】
なお、制御部２及び画像処理部１６は、いわゆるＣＰＵとＲＯＭ、ＲＡＭなどからなる記憶部（図示しない）とを備えて構成されている。制御部２の記憶部には医用画像診断装置の動作を制御する制御プログラムが記憶されており、ＣＰＵがその制御プログラムの各機能を実行することにより、検査計画の手順に沿って、撮影部１４に画像データの収集を実行させ、表示装置１０に画像や撮影条件などを表示させ、画像処理部１６に所定の画像処理を実行させる。また、画像処理部１６については、記憶部に画像処理プログラムが格納されており、ＣＰＵがその画像処理プログラムの各機能を実行することにより、ボリュームレンダリング処理やＭＰＲ処理などの画像処理を実行する。
【００４６】
記録媒体１８は、例えばハードディスクなどの磁気ディスク、又は光ディスクなどで構成され、撮影部１４により収集された画像データ、及び画像処理部１６により生成された画像データを保存する。
【００４７】
通信部２０はネットワークＮに接続され、制御部２から画像データを受けて医用画像診断装置１の外部に接続されたサーバなどに画像データを転送する。例えば、ＰＡＣＳ、ＲＩＳ及びＨＩＳによりネットワークが構築され、医用画像診断装置１がそのネットワークに接続されている場合は、制御部２は通信部２０を介して画像データをＰＡＣＳの画像サーバなどに転送する。その画像データは転送先の画像サーバにて保管されることになる。
【００４８】
（動作）
上記構成を有する医用画像診断装置によると、以下に示す好適な作用及び効果を奏することが可能となる。この作用及び効果について図２乃至図７を参照しつつ説明する。なお、この実施形態においては、医用画像診断装置１としてＸ線ＣＴ装置を用いた場合について説明するが、超音波診断装置やＭＲＩ装置などを用いた場合であっても同様の作用及び効果を奏することができる。
【００４９】
（第１の動作）
まず、この実施形態に係る医用画像診断装置の第１の動作について図２乃至図６を参照しつつ説明する。図２は、この発明の実施形態に係る医用画像診断装置の第１の動作を説明するためのフローチャートである。図３、図５及び図６は、表示装置に表示される検査内容を示す図である。図４は検査計画を示す表である。
【００５０】
Ｘ線ＣＴ装置（医用画像診断装置）により撮影を行う前に、検査計画を決定する。まず、制御部２は、表示装置１０のモニタ画面上に複数の検査テンプレートファイルの名称（識別子）を表示させる。例えば、制御部２は、検査テンプレートファイルの名称を一覧にして表示装置１０に表示させる。そして、放射線技師などの操作者が操作部１２を用いて表示装置１０に表示されている複数の検査テンプレートファイルの名称に基づいて、患者、診断部位又は疾病などに合致した検査テンプレートファイルを選択する（ステップＳ０１）。例えば、表示装置１０のモニタ画面上には「頭部１」、「頭部２」、「胸部１」などの検査テンプレートファイルの名称が表示され、操作者が操作部１２を用いて患者、診断部位又は疾病などに合致した検査テンプレートファイルの名称を選択する。頭部の検査を実施する場合は、操作者は「頭部１」、「頭部２」などの名称を選択する。
【００５１】
操作者により所望の検査テンプレートファイルの名称が選択されると、操作部１２から制御部２に選択された検査テンプレートファイルの名称を示す情報が出力される。制御部２は選択された検査テンプレートファイルの名称を受けると、検査テンプレート記憶部４に記憶されている複数の検査テンプレートファイルから選択された検査テンプレートファイルを検索し、検査テンプレート記憶部４から選択された検査テンプレートファイルを読み込む（ステップＳ０２）。
【００５２】
さらに、制御部２は、表示装置１０のモニタ画面上に過去に実施された検査の内容（過去検査内容）を特定するための情報（患者ＩＤ、患者名又は検査番号など）を表示させる。過去検査内容が複数ある場合は、制御部２は検査番号の一覧を表示装置１０に表示させる。そして、放射線技師などの操作者が操作部１２を用いて表示装置１０に表示されている複数の過去検査内容から、所望の過去検査内容を選択する（ステップＳ０３）。例えば、これから検査を行う患者に対して過去に行われた検査内容を選択する。具体的には、手術前の部位の状態と比較するために手術後の部位を撮影する場合、手術前に実施された検査内容（過去検査内容）を選択する。なお、操作者は、操作部１２を用いて直接、患者ＩＤや患者名などを入力しても良い。
【００５３】
操作者により過去検査内容を特定するための情報（患者ＩＤ、患者名又は検査番号など）が選択、又は、患者ＩＤや患者名が入力されると、操作部１２から制御部２にその選択された過去検査内容を特定するための情報（患者ＩＤ、患者名又は検査番号など））が出力される。制御部２はその選択された過去検査内容を特定するための情報を受けると、過去検査データ記憶部６に記憶されている複数の過去検査内容から指定された過去検査内容を検索し、過去検査データ記憶部６から選択された過去検査内容を読み込む（ステップＳ０４）。この過去検査内容には、上述したように、過去に実施されたスキャンにより収集された画像データ、画像処理後の画像データ、撮影条件、画像データ転送先の名称、画像データ保管先の名称、検査の担当者名、患者名、患者ＩＤ、検査日などが含まれている。
【００５４】
制御部２は、選択された検査テンプレートファイルを検査テンプレート記憶部４から取得すると、取得した検査テンプレートファイルに含まれる撮影条件、画像処理の内容、画像データ転送先及び画像データ保存先を表示装置１０に出力し、表示装置１０のモニタ画面上にそれらを表示させる（ステップＳ０５）。この検査テンプレートファイルに含まれている撮影条件などが、これから実施する現在の検査内容に該当する。
【００５５】
さらに制御部２は、選択された過去検査内容を過去検査データ記憶部６から取得すると、過去検査内容を表示装置１０に出力し、表示装置１０のモニタ画面上に、収集された画像、過去検査の撮影条件、画像処理の内容、画像データ転送先及び画像データ保存先などを表示させる（ステップＳ０５）。
【００５６】
また、制御部２は、制御部２に接続されている記憶装置（図示しない）に記憶されている表示欄のフォーマットを読み込んで表示装置１０に出力し、モニタ画面上に表示欄を表示させる。そして、制御部２は、過去検査内容と、これから実施する現在の検査内容とを同時に表示装置１０に表示させる。このとき、制御部２は、過去検査内容とこれから実施する現在の検査内容とを、それぞれの表示欄内に表示させる。図３に表示装置に表示される検査内容を示す。
【００５７】
表示装置１０のモニタ画面１０ａ上には、過去検査内容３０とこれから実施する現在の検査内容４０とが表示される。過去検査内容３０には、撮影位置を示す情報（スキャノ像）、撮影条件、画像処理の内容、過去に収集された画像、画像処理後の画像、画像データの転送先、画像データ保管先、患者ＩＤ、患者名、検査日、依頼科、検査担当者名などの項目が含まれ、それぞれ、過去検査の表示欄３１内の所定の欄に表示される。
【００５８】
また、これから実施する現在の検査内容４０も過去検査内容３０と同様に、撮影位置を示す情報（スキャノ像）、撮影条件、画像処理の内容、収集された画像、画像処理後の画像、画像データの転送先、画像データ保管先、患者ＩＤ、患者名、検査日、依頼科、検査担当者名などの項目が含まれ、それぞれ、現在の検査の表示欄４１内の所定の欄に表示される。検査開始前に、患者ＩＤ、患者名、検査日、依頼科又は検査担当者名を操作部１２により入力すると、制御部２は、入力された情報を表示装置１０に出力し、表示欄４１内に入力された情報を表示させる。
【００５９】
表示装置１０のモニタ画面１０ａ上に表示される情報について更に詳しく説明する。過去検査内容の表示欄３１には、表示欄３２〜表示欄３６が含まれている。表示欄３２は、過去検査における撮影位置を示すスキャノ像を表示するための表示欄である。表示欄３３は、過去検査の撮影条件を表示するための表示欄である。Ｘ線ＣＴ装置により撮影を行った場合、撮影条件には、Ｘ線管の電流、スライス幅、ピッチ、ＦＯＶサイズなどが含まれ、それらが表示欄３３内に表示されている。表示欄３４は、撮影及び画像処理を行って得られた画像を表示するための表示欄である。図３に示す例においては、表示欄３４には、収集された画像（アキシャル像）を表示するための表示欄３４ａと、画像処理により生成された画像（コロナル像）を表示するための表示欄３４ｂと、画像処理により生成された画像（３次元画像）を表示するための表示欄３４ｃとが含まれている。制御部２は、表示欄３４ａの上方に、表示欄３４ａに表示される画像の種類を示すため、画像の種類を表す標記「アキシャル像」を表示させる。また、制御部２は、表示欄３４ｂの上方に、画像処理の内容を示すとともに、表示欄３４ｂに表示される画像の種類を示すため、画像の種類を表す標記「コロナル像」を表示させる。この「コロナル像」の表示が、画像処理の内容を表している。また、制御部２は、表示欄３４ｃの上方に、画像処理の内容を示すとともに、表示欄３４ｃに表示される画像の種類を示すため、画像の種類を表す標記「３次元画像」を表示させる。この「３次元画像」の表示が、画像処理の内容を表している。表示欄３４ａ、３４ｂ及び３４ｃは、それぞれ複数の欄により構成され、表示欄３４ａ、３４ｂ及び３４ｃには複数の画像が表示可能となっている。なお、コロナル像などの例は１例であり、サジタル像や任意断面の画像などを表示しても良い。
【００６０】
また、収集された画像（アキシャル像）を表示するための表示欄３４ａには、画像収集の完了又は未完了を表示するためのチェック欄３４ｄが含まれ、コロナル像を表示するための表示欄３４ｂには、画像生成の完了又は未完了を表示するためのチェック欄３４ｅが含まれ、３次元画像を表示するための表示欄３４ｃにも、画像生成の完了又は未完了を表示するためのチェック欄３４ｆが含まれている。例えばスキャンが終了していない場合は、制御部２はチェック欄３４ｄを白抜きの空欄として表示させ、スキャンが完了した場合は、制御部２はチェック欄３４ｄを例えば所定の色に着色して表示させる。また、例えば予定数のコロナル像を生成する場合、その予定数の画像処理が未完了の場合、制御部２はチェック欄３４ｅを白抜きの空欄として表示させ、その予定数の画像処理が完了した場合は、制御部２はチェック欄３４ｅを例えば所定の色に着色して表示させる。３次元画像を表示するための表示欄３４ｃに含まれるチェック欄３４ｆについても、画像処理が未完了の場合は、制御部２はチェック欄３４ｆを白抜きの空欄として表示させ、画像処理が完了した場合は、制御部２はチェック欄３４ｆを例えば所定の色に着色して表示させる。
【００６１】
また、表示欄３５は画像データの転送先を表示するための表示欄であり、表示欄３６は画像データの保管先を表示するための表示欄である。転送先を表示するための表示欄３５には、転送の完了又は未完了を表示するためのチェック欄３５ａが含まれ、保管先を表示するための表示欄３６には、保管の完了又は未完了を表示するためのチェック欄３６ａが含まれている。画像データの転送が未完了の場合、制御部２はチェック欄３５ａを白抜きの空欄として表示させ、転送が完了した場合は、制御部２はチェック欄を例えば所定の色に着色して表示させる。また、画像データの保管が未完了の場合、制御部２はチェック欄３６ａを白抜きの空欄として表示させ、保管が完了した場合は、制御部２はチェック欄３６ａを所定の色に着色して表示させる。
【００６２】
上記の表示欄３０〜３６のフォーマットを制御部２に接続された記憶装置（図示しない）に予め記憶させておき、制御部２はその表示欄３０〜３６のフォーマットを記憶装置から読み出し、表示装置１０のモニタ画面１０ａ上に表示欄３０〜３６を表示させるとともに、過去検査データ記憶部６から取得した画像や撮影条件などを対応する表示欄３０〜３６内に表示させる。
【００６３】
また、これから実行する検査情報４０の表示欄４１には、表示欄４２〜表示欄４６が含まれている。表示欄４２は、撮影位置を示すスキャノ像を表示するための表示欄である。表示欄４３は、これから実施する検査の撮影条件を表示するための表示欄である。疾病や診断部位などに応じて予め撮影条件が作成されて検査テンプレートファイルに格納されているため、所望の検査テンプレートファイルを選択することで、その検査テンプレートファイルに格納されている撮影条件が表示欄４３に表示される。過去検査における撮影条件と同様に、管電流、スライス幅、ピッチなどが含まれている。なお、撮影条件は操作者によって任意の値に変更することが可能である。表示欄４４は、これから撮影を行って収集される予定の画像又は画像処理により生成される予定の画像を表示するための表示欄である。図３に示す例においては、表示欄４４には、撮影を行って収集される予定の画像（アキシャル像）を表示するための表示欄４４ａと、画像処理により生成される予定の画像（コロナル像）を表示するための表示欄４４ｂと、画像処理により生成される予定の画像（３次元画像）を表示するための表示欄４４ｃとが含まれている。制御部２は、表示欄４４ａの上方に、表示欄４４ａに表示される画像の種類を示すために、画像の種類を表す標記「アキシャル像」を表示させる。また、制御部２は、表示欄４４ｂの上方に、画像処理の内容を示すとともに、表示欄３４ｂに表示される画像の種類を示すため、画像の種類を表す標記「コロナル像」を表示させる。この「コロナル像」の表示が、画像処理の内容を表している。また、制御部２は、表示欄３４ｃの上方に、画像処理の内容を示すとともに、表示欄４４ｃに表示される画像の種類を示すため、画像の種類を表す標記「３次元画像」を表示させる。この「３次元画像」の表示が、画像処理の内容を表している。表示欄４４ａ、４４ｂ及び４４ｃは、それぞれ複数の欄により構成され、表示欄４４ａ、４４ｂ及び４４ｃは複数の画像が表示可能となっている。なお、コロナル像などの例は１例であり、サジタル像や任意断面の画像などを表示しても良い。
【００６４】
また、収集される予定の画像（アキシャル像）を表示するための表示欄４４ａには、画像収集の完了又は未完了を表示するためのチェック欄４４ｄが含まれ、コロナル像を表示するための表示欄４４ｂには、画像生成の完了又は未完了を表示するためのチェック欄４４ｅが含まれ、３次元画像を表示するための表示欄４４ｃにも、画像生成の完了又は未完了を表示するためのチェック欄４４ｆが含まれている。例えばスキャンが終了していない場合は、制御部２はチェック欄４４ｄを白抜きの空欄として表示させ、スキャンが完了した場合は、制御部２はチェック欄４４ｄを例えば所定の色に着色して表示させる。また、例えば予定数のコロナル像を生成する場合、その予定数の画像処理が未完了の場合、制御部２はチェック欄４４ｅを白抜きの空欄として表示させ、その予定数の画像処理が完了した場合は、制御部２はチェック欄４４ｅを例えば所定の色に着色して表示させる。３次元画像を表示するための表示欄４４ｃに含まれるチェック欄４４ｆについても、画像処理が未完了の場合は、制御部２はチェック欄４４ｆを白抜きの空欄として表示させ、画像処理が完了した場合は、制御部２はチェック欄４４ｆを例えば所定の色に着色して表示させる。
【００６５】
また、表示欄４５が画像データの転送先を表示するための表示欄であり、表示欄４６は画像データの保管先を表示するための表示欄である。転送先を表示するための表示欄４５には、転送の完了又は未完了を表示するためのチェック欄４５ａが含まれ、保管先を表示するための表示欄４６には、保管の完了又は未完了を表示するためのチェック欄４６ａが含まれている。画像データの転送が未完了の場合、制御部２はチェック欄４５ａを白抜きの空欄として表示させ、転送が完了した場合は、制御部２はチェック欄を例えば所定の色に着色して表示させる。また、画像データの保管が未完了の場合、制御部２はチェック欄４６ａを白抜きの空欄として表示させ、保管が完了した場合は、制御部２はチェック欄４６ａを例えば所定の色に着色して表示させる。
【００６６】
上記の表示欄４０〜４６のフォーマットを制御部２に接続された記憶装置（図示しない）に予め記憶させておき、制御部２はその表示欄４０〜４６のフォーマットを記憶装置から読み出し、表示装置１０のモニタ画面１０ａ上に表示欄４０〜４６を表示させるとともに、検査テンプレートファイルに含まれる撮影条件を表示欄４３に表示させ、画像データの転送先を表示欄４５に表示させ、画像データの保存先を表示欄４６に表示させる。
【００６７】
そして、制御部２は、検査計画に従って各処理を各部に実行させる（ステップＳ０６）。例えば図４に示すような検査計画の場合、制御部２は、撮影部１４にスキャノ像を収集させる（処理１）。撮影部１４により収集されたスキャノ像データは画像データ記憶部８に一旦保持され、制御部２はそのスキャノ像データを表示装置１０に出力し、モニタ画面１０ａ上の表示欄４２にスキャノ像を表示させる。次に、そのスキャノ像に基づいて操作者がスキャン位置を決定する（処理２）。スキャン位置が決定されると、制御部２は、検査テンプレートに含まれる撮影条件に従って撮影部１４に画像データを収集させる（処理３）。
【００６８】
このように検査が実行されて被検体の画像データが収集されると、収集された画像データは撮影部１４から画像データ記憶部８に出力され、画像データ記憶部８にて一時的に保持される。そして、制御部２は画像データ記憶部８から画像データを読み出し、順次、表示装置１０に画像データを出力し、表示装置１０のモニタ画面１０ａ上に順次、画像を表示させる。このとき、制御部２は、モニタ画面１０ａ上の表示欄４４ａの枠内に画像を順次、表示させる（ステップＳ０７）。例えば、図５に示すように、制御部２は、複数の欄からなる表示欄４４ａ内の個々の欄に順次、収集した画像を表示させる。図５において、表示欄４４ａが白抜きの状態は画像が表示されていない状態を表し、着色されている状態は画像が表示されている状態を表すものとする。このように、収集された画像を表示装置１０に順次、表示させることにより、操作者は画像収集の進行状況を容易に確認することが可能となる。
【００６９】
そして、撮影部１４によるスキャンが終了すると（ステップＳ０８、Ｙｅｓ）、制御部２は撮影部１４からスキャン終了を示す信号を受け、制御部２は表示装置１０のモニタ画面１０ａ上に表示されているチェック欄４４ｄを例えば所定の色で表示させる（ステップＳ０９）。これにより、操作者は画像データの収集が終了したことを認識することが可能となる。また、スキャン実行中においては、制御部２は表示装置１０にスキャン実行中であることを表示させても良い。例えば、制御部２が、表示装置１０のモニタ画面１０ａ上に別途、ステータス状態を表示するための表示欄を表示させ、その表示欄に「スキャン実行中」などメッセージを表示させても良い。
【００７０】
また、図４に示すように検査計画に従って所定の画像処理（処理４）を行う場合は、制御部２は撮影部１４で収集されて画像データ記憶部８に保持されている画像データを、画像処理部１６に出力する。画像処理部１６は画像データ記憶部８から画像データを受けると、選択された検査テンプレートファイルに含まれる画像処理内容に従って画像処理を行う。画像処理部１６は、例えばＭＰＲ処理やボリュームレンダリング処理などを施すことにより、任意断面の画像データや３次元画像データなどを生成し、生成した画像データを画像データ記憶部８に出力する。その画像データは画像データ記憶部８にて一時的に保持される。制御部２は画像処理部１６により生成された画像データを画像データ記憶部８から読み込み、順次、表示装置１０に出力し、表示装置１０のモニタ画面１０ａ上に、順次、画像を表示させる。例えば画像処理部１６にてコロナル像データと３次元画像データとが生成された場合、制御部２はコロナル像データと３次元画像データとを表示装置１０に順次、出力する。そして、制御部２は、表示装置１０のモニタ画面１０ａの所定の表示欄にコロナル像と３次元画像とを順次、表示させる。この場合、制御部２は、コロナル像を表示欄４４ｂに順次、表示させ、３次元画像を表欄４４ｃに順次、表示させる。例えば、図６に示すように、制御部２は、複数の欄からなる表示欄４４ｂ内の個々の欄に順次、生成したコロナル像を表示させる。図６において、表示欄４４ｂが白抜きの状態は画像が表示されていない状態を表し、着色されている状態は画像が表示されている状態を表すものとする。図６には、コロナル像が表示欄４４ｂに表示される例を示したが、３次元画像についてもコロナル像と同様に表示欄４４ｃに順次、表示される。このように、生成された画像を表示装置１０に順次、表示させることにより、操作者は画像処理の進行状況を容易に確認することが可能となる。
【００７１】
そして、画像処理部１６による画像処理が終了すると、制御部２は撮影部１４から画像処理終了を示す信号を受け、制御部２は表示装置１０のモニタ画面１０ａ上に表示されているチェック欄を所定の色に着色して表示させる。例えば、コロナル像を生成するための画像処理が終了すると、制御部２はチェック欄４４ｅを所定の色に着色して表示させ、３次元画像を生成するための画像処理が終了すると、制御部２はチェック欄４４ｆを所定の色に着色して表示させる。これにより、操作者は画像処理が終了したことを認識することが可能となる。また、画像処理実行中においては、制御部２は表示装置１０に画像処理実行中であることを表示させても良い。
【００７２】
また、図４に示す検査計画に従って、収集された画像データ又は画像処理により生成された画像データを外部の画像サーバなどに転送する場合は（処理５）、制御部２は画像データ記憶部８に記憶されている画像データを読み出し、通信部２０を介してネットワークＮに接続された外部の画像サーバ（図示しない）に転送する。このとき、制御部２は、選択された検査テンプレートファイルに含まれる画像データ転送先に画像データを転送する。例えば、医用画像診断装置１が複数の画像サーバに接続されている場合において、検査テンプレートファイルには画像データ転送先として画像サーバＢが記述されている場合、制御部２は画像サーバＢに画像データを転送する。この場合、表示欄４５には画像サーバＢの名称（識別子）が表示される。そして、画像データの転送が終了すると、制御部２は表示装置１０のチェック欄４５ａを所定の色に着色して表示させる。これにより、操作者は画像データの転送が終了したことを認識することが可能となる。
【００７３】
また、検査計画に従って、収集された画像データ、又は画像処理により生成された画像データを外部の記録媒体１８（例えばハードディスクや光ディスク）に保管する場合は（処理６）、制御部２は画像データ記憶部８に記憶されている画像データを読み出し、医用画像診断装置１に接続されている記録媒体１８に書き込む。このとき、制御部２は、選択された検査テンプレートファイルに含まれる画像データ保管先に画像データを保管する。例えば、医用画像診断装置１に複数種の記録媒体１８が接続されている場合において、検査テンプレートファイルには画像データ保管先としてＭＯが記述されている場合、制御部２はＭＯに画像データを保管する。この場合、表示欄４６にはＭＯの名称（識別子）が表示される。そして、画像データの保管が終了すると、制御部２は表示装置１０のチェック欄４６ａを所定の色に着色して表示させる。これにより、操作者は画像データの転送が終了したことを認識することが可能となる。
【００７４】
以上のように、過去検査内容３０と現在の検査内容４０とを表示装置１０に同時に表示させることにより、これから実施する検査の内容と過去検査内容との比較が容易になる。また、収集又は生成された画像を順次、表示装置１０に表示させ、さらに画像収集又は画像処理が終了した場合は、チェック欄を所定の色に着色して検査の進行状況を可視化することにより、操作者は処理の進行状況を容易に把握することが可能となる。
【００７５】
なお、過去検査内容を表示装置１０に表示させずに、検査テンプレートファイルに含まれる検査内容に沿って処理を実行しても良い。この場合、ステップＳ０２にて検査テンプレートファイルが制御部２により読み込まれた後、制御部２は現在の検査内容４０のみを表示装置１０に表示させ、その後、検査テンプレートファイルに含まれる検査計画に沿って、画像データの収集、画像処理、画像データの転送又は画像データの保管を行っても良い。
【００７６】
（第２の動作）
次に、この発明の実施形態に係る医用画像診断装置１の第２の動作について図７を参照しつつ説明する。図７はこの発明の実施形態に係る医用画像診断装置１の第２の動作を説明するためのフローチャートである。
【００７７】
まず、上記第１の動作のように、所望の検査テンプレートを選択し、さらに過去検査内容を選択し、制御部２により、これから実施する現在の検査内容と過去検査内容とを表示装置１０のモニタ画面１０ａ上に同時に表示させる（ステップＳ１０）。例えば図３に示すように、制御部２は、過去検査内容３０と現在の検査内容４０とを表示装置１０に同時に表示させる。
【００７８】
この状態においてこれから実施する現在の検査内容（例えば撮影条件、画像処理条件、画像データの転送先又は画像データの保管先など）を変更する場合、操作者が操作部１２を用いて手入力により、所望の撮影条件、画像処理の内容、画像データの転送先、又は画像データの保管先などを入力する（ステップＳ１１）。
【００７９】
表示装置１０のモニタ画面１０ａ上には過去検査内容が表示されているため、操作者は過去に実施された検査の撮影条件、画像処理条件、画像データの転送先又は画像データの保管先などを参照しながら、これから実施する検査の撮影条件などを入力することができる。これにより、過去に実施された検査と同じ条件で検査を実施することが容易になる。
【００８０】
操作部１２により入力された撮影条件などは制御部２に出力される。制御部２は操作部１２から撮影条件などの入力情報を受けると、表示装置１０に出力して、モニタ画面１０ａ上の所定の表示欄に撮影条件などを表示させる（ステップＳ１２）。具体的には、制御部２は、入力された撮影条件などを表示装置１０に出力し、入力された撮影条件を図３に示す表示欄４３内に表示させ、入力された転送先を表示欄４５に表示させ、また、入力された保管先を表示欄４６に表示させる。これにより、表示欄に表示されている撮影条件が更新される。
【００８１】
また、制御部２は、入力された撮影条件などをこれから実施する現在の検査の条件として、撮影部１４、画像処理部１６に出力する。そして、検査テンプレートファイルに含まれる検査計画、及び操作者の入力操作により変更された条件に従って処理を実行する（ステップＳ１３）。例えば、撮影条件が変更された場合は、撮影部１４は変更後の撮影条件に従ってスキャンを行なうことにより画像データを収集する。また、画像処理の内容が変更された場合は、画像処理部１６は変更後の画像処理条件に従って画像処理を行うことにより画像データを生成する。撮影部１４にて収集された画像データ、又は画像処理部１６にて生成された画像データは、画像データ記憶部８にて一時的に保持される。
【００８２】
撮影部１４により画像データが収集されると、制御部２は画像データを表示装置１０に出力し、モニタ画面１０ａ上の所定の表示欄に画像を順次、表示させる。図５に基づいて説明したように、制御部２は、表示装置１０に収集された画像データを出力し、モニタ画面１０ａ上の表示欄４４ａに収集された画像を順次、表示させる（ステップＳ１４）。このように、収集された画像を表示装置１０に順次、表示させることにより、操作者は画像収集の進行状況を容易に確認することが可能となる。
【００８３】
そして、撮影部１４によるスキャンが終了すると（ステップＳ１５、Ｙｅｓ）、制御部２は撮影部１４からスキャン終了を示す信号を受け、制御部２は表示装置１０のモニタ画面１０ａ上に表示されているチェック欄４４ｄを所定の色に着色して表示する（ステップＳ１６）。これにより、操作者は画像収集の終了を容易に確認することが可能となる。また、スキャン実行中においては、制御部２は表示装置１０にスキャン実行中であることを表示させても良い。
【００８４】
また、上記第１の動作と同様に、画像処理部１６が所定の画像処理を行って任意断面の画像データや３次元画像データなどを生成した場合、制御部２は生成された画像データを表示装置１０に順次、出力し、表示装置１０のモニタ画面１０ａ上に、順次、画像を表示させる。第１の動作と同様にコロナル像と３次元画像とが生成された場合、制御部２は、コロナル像を表示欄４４ｂに順次、表示させ、３次元画像を表示欄４４ｃに順次、表示させる。このように、生成された画像を表示装置１０に順次、表示させることにより、操作者は画像処理の進行状況を容易に確認することが可能となる。そして、画像処理が終了すると、制御部２は、モニタ画面上１０ａに表示されているチェック欄を所定の色に着色して表示する。これにより、操作者は画像生成の終了を容易に確認することが可能となる。
【００８５】
さらに、上記第１の動作と同様に、収集又は生成された画像データを外部の画像サーバに転送した場合、その画像転送が終了すると、制御部２は表示装置１０のチェック欄４５ａを所定の色に着色して表示させる。また、外部の記録媒体１８に保管した場合、その画像保管が終了すると、制御部２は表示装置１０のチェック欄４６ａを所定の色に着色して表示させる。
【００８６】
以上のように、過去検査内容３０と現在の検査内容４０とを表示装置１０に同時に表示させることにより、過去検査内容を確認しながら、これから実施する検査の内容を変更することが容易になるため、操作者の入力の負担を軽減することが可能となる。
【００８７】
また、過去検査の条件を現在の検査の条件に用いた場合、現在の検査の条件と検査計画とを対応させて新たな検査テンプレートファイルとして検査テンプレート記憶部４に記憶させても良い。この場合、手入力により撮影条件、画像処理条件、転送先、保管先などが入力されると、制御部２は入力された撮影条件などを受け、撮影条件などを選択された検査計画に対応させて新たな検査テンプレートファイルして検査テンプレート記憶部４に記憶させる。このように、過去検査の条件を用いて検査テンプレートを作成することにより、容易に新たな検査テンプレートを作成することが可能となる。従来においては、様々な診断部位や疾病などに応じて多数の検査テンプレートファイルを操作者が予め作成しておく必要があったが、この実施形態のように、過去検査の条件を用いて新たな検査テンプレートとすることで、容易に新しい検査テンプレートファイルを作成することができる。これにより、新しい検査テンプレートファイルを作成する手間が省けるため、操作者の負担を軽減することが可能となる。
【００８８】
（第３の動作）
次に、この発明の実施形態に係る医用画像診断装置１の第３の動作について図８を参照しつつ説明する。図８はこの発明の実施形態に係る医用画像診断装置１の第３の動作を説明するためのフローチャートである。
【００８９】
まず、上記第１の動作及び第２の動作のように、所望の検査テンプレートを選択し、さらに過去検査内容を選択し、これから実施する現在の検査内容と過去検査内容とを表示装置１０のモニタ画面１０ａ上に表示させる（ステップＳ２０）。例えば図３に示すように、制御部２は、過去検査内容３０と現在の検査内容４０とを表示装置１０に表示させる。
【００９０】
そして、過去検査の条件をこれから実施する現在の検査の条件に用いる場合、操作者は操作部１２を用いて過去検査の条件をこれから実施する現在の検査の条件に適用することの命令を与える（ステップＳ２１）。例えば、これから実施する現在の検査の条件（例えば撮影条件、画像処理条件、画像データの転送先、画像データの保管先など）に過去の検査の条件を適用する場合、操作者は適用することの命令を操作部１２で入力する。過去に実施された検査と同じ条件で検査を実施することを望む場合は、過去検査の条件をこれから実施する現在の検査の条件に適用することで、過去に実施された検査と同じ条件で検査を実施することが容易になる。例えば、術前の状態と術後の状態とを比較する場合、同じ条件で撮影などを行った方が、その比較が容易になる。このような場合に、過去検査の条件をこれから実施する現在の検査の条件に自動的に適用することで、操作者の入力負担を軽減することが可能となる。
【００９１】
制御部２は操作部１２から適用の命令を受けると、過去検査の条件が、医用画像診断装置１において設定可能な範囲内の条件か否かの判断を行う（ステップＳ２２）。例えば、制御部２は、過去検査の撮影条件が医用画像診断装置１において設定可能な範囲内の条件か否かの判断を行う。撮影条件として、例えば、Ｘ線管の電流値、スライス幅、ピッチ、撮影位置、回転架台の角度などが挙げられ、制御部２は、過去検査におけるＸ線管の電流値がこの医用画像診断装置１において設定可能な範囲内の値か否かの判断を行う。この場合、制御部２に接続された記憶装置（図示しない）に、医用画像診断装置１において設定可能な条件の上限値及び下限値を予め記憶させておき、制御部２は、その上限値及び下限値と、過去検査における条件（例えばＸ線管の電流値）とを比較して、過去検査における条件が設定可能な条件の上限値及び下限値の範囲内に含まれているか否かの判断を行う。
【００９２】
制御部２が、過去検査の条件が設定可能な範囲内であると判断した場合（ステップＳ２３、Ｙｅｓ）、過去検査の条件をこれから実施する現在の検査の条件に適用する（ステップＳ２４）。例えば、過去検査の管電流の値が設定可能な範囲内であると判断された場合、その管電流の値を現在の検査の撮影条件に用いる。
【００９３】
そして、制御部２は、過去検査の条件をこれから実施する現在の検査の条件として、表示装置１０に出力して、モニタ画面１０ａ上の所定の表示欄に撮影条件などを表示させる。例えば過去検査の撮影条件を現在の検査の撮影条件として適用する場合、過去検査の撮影条件はモニタ画面１０ａ上の表示欄４３に表示される。また、制御部２は、過去検査の条件を撮影部１４、画像処理部１６に出力する。具体的には、制御部２は、過去検査の撮影条件を撮影部１４に出力し、過去検査の画像処理条件を画像処理部１６に出力する。
【００９４】
そして、設定された検査計画及び条件に従って処理を実行する（ステップＳ２６）。例えば、撮影部１４は過去検査の撮影条件に従ってスキャンを行なうことにより画像データを収集する。また、画像処理部１６は過去検査の画像処理条件に従って画像処理を行うことにより画像データを生成する。
【００９５】
撮影部１４により画像データが収集されると、制御部２は画像データを表示装置１０に出力し、モニタ画面１０ａ上の所定の表示欄に画像を順次、表示させる。図５に基づいて説明したように、制御部２は、表示欄４４ａに収集された画像を順次、表示させる。
【００９６】
このように過去検査の条件をこれから実施する現在の検査の条件に自動的に適用して、検査を実行することが可能となるため、操作者が撮影条件などを入力する手間が省け、手入力による誤入力の防止、及び、操作者の負担を軽減することが可能となる。また、過去検査と同一の条件で画像データの収集が可能となるため、過去に得られた画像との比較を容易に行うことができる。
【００９７】
また、制御部２が、過去検査の条件が設定可能な範囲内にないと判断した場合（ステップＳ２３、Ｎｏ）、制御部２は、医用画像診断装置１において設定可能な条件をこれから実施する現在の検査の条件に適用する（ステップＳ２５）。例えば、過去検査における管電流の値が、設定可能な上限値を超えている場合は、制御部２は、設定可能な上限値をこれから実施する現在の検査の条件に適用する。また、過去検査における回転架台の傾斜角度が設定可能な角度を超えている場合は、制御部２は、設定可能な上限値をこれから実施する現在の検査の条件に適用する。この場合、制御部２は、設定可能な上限値をこれから実施する条件として、表示装置１０に出力して、モニタ画面１０ａ上の所定の表示欄に撮影条件などを表示させる。例えば、過去検査の管電流の値が設定可能な値を超えている場合は、制御部２は、設定可能な管電流の値をモニタ画面１０ａ上の表示欄４３に表示させる。また、制御部２は、設定可能な上限値を撮影部１４、又は画像処理部１６に出力する。
【００９８】
そして、上述したように、設定された検査計画及び条件に従って処理を実行する（ステップＳ２６）。
【００９９】
このように、過去検査の条件をそのまま用いることができない装置であっても、その過去検査の条件に近い条件でスキャンを行なったり、画像処理を行ったりして、過去検査で得られた画像と比較するための画像を得ることが可能となる。これにより、操作者が撮影条件などを入力する手間が省け、手入力による誤入力の防止、及び、操作者の負担を軽減することが可能となる。
【０１００】
また、過去検査の条件が設定可能な範囲内にないと判断された場合、制御部２は表示欄４３を空欄にして表示させても良い。この場合、操作者が操作部１２を用いて撮影条件を入力することで、撮影条件を設定する。
【０１０１】
さらに、過去検査の条件を現在の検査の条件として用いた場合、上述した第２の動作のように、現在の検査の条件と検査計画とを対応させて新たな検査テンプレートファイルとして検査テンプレート記憶部４に記憶させても良い。
【０１０２】
（第４の動作）
次に、この発明の実施形態に係る医用画像診断装置１の第４の動作について図９を参照しつつ説明する。図９はこの発明の実施形態に係る医用画像診断装置１の第４の動作を説明するためのフローチャートである。
【０１０３】
まず、制御部２は、表示装置１０のモニタ画面上に過去に実施された検査の内容（過去検査内容）を特定するための情報（例えば患者ＩＤ、患者名又は検査番号など）を表示させる。過去検査内容が複数ある場合は、制御部２は検査番号の一覧を表示装置１０に表示させる。そして、放射線技師などの操作者が操作部１２を用いて表示装置１０に表示されている複数の過去検査内容から、所望の過去検査内容を選択する（ステップＳ３０）。例えば、これから検査を行う患者に対して過去に行われた検査内容を選択する。具体的には、手術後の部位を撮影する場合、手術前に実施された検査内容（過去検査内容）を選択する。また、操作者が操作部１２を用いて直接、患者ＩＤや患者名などを入力しても良い。
【０１０４】
操作者により過去検査内容が選択、又は患者ＩＤなどが入力されると、操作部１２から制御部２にその選択された過去検査内容を特定する情報（例えば、患者ＩＤ、患者名又は検査番号など）が出力される。制御部２はその指定された過去検査内容を特定する情報を受けると、過去検査データ記憶部６に記憶されている複数の過去検査内容から選択された過去検査内容を検索し、過去検査データ記憶部６から選択された過去検査内容を読み込む（ステップＳ３１）。
【０１０５】
制御部２は過去検査内容を過去検査データ記憶部６から読み込むと、過去検査の条件が、医用画像診断装置１において設定可能な範囲内の条件か否かの判断を行う（ステップＳ３２）。例えば、制御部２は、過去検査の撮影条件が医用画像診断装置１において設定可能な範囲内の条件か否かの判断を行う。例えば、制御部２は、過去検査における管電流の値がこの医用画像診断装置１において設定可能な範囲内の値か否かの判断を行う。具体的には、医用画像診断装置１において設定可能な条件の上限値及び下限値を制御部２内の記憶部に予め記憶させておき、制御部２は、記憶部に記憶されている上限値及び下限値と、過去検査における条件（例えばＸ線管の電流値）とを比較して、過去検査における条件が設定可能な条件の上限値及び下限値の範囲内に含まれているか否か判断を行う。
【０１０６】
制御部２が、過去検査の条件が設定可能な範囲内であると判断した場合（ステップＳ３３、Ｙｅｓ）、過去検査の条件をこれから実施する現在の検査の条件に適用する（ステップＳ３４）。例えば、過去検査の管電流の値が設定可能な範囲内であると判断された場合、その管電流の値を現在の検査の撮影条件に用いる。
【０１０７】
そして、制御部２は、過去検査の条件をこれから実施する現在の検査の条件として、表示装置１０に出力して、モニタ画面１０ａ上の所定の表示欄に撮影条件などを表示させる（ステップＳ３６）。このとき制御部２は、表示装置１０のモニタ画面１０ａ上に、過去検査内容３０とこれから実施する現在の検査内容４０とを表示させる。例えば過去検査の撮影条件を現在の検査の撮影条件として適用する場合、制御部２は過去検査の撮影条件を表示欄３１内に表示させるとともに、現在の検査の表示欄４１内に適用した過去検査の撮影条件を表示させる。
【０１０８】
そして、設定された検査計画及び条件に従って処理を実行する（ステップＳ３７）。例えば、撮影部１４は過去検査の撮影条件に従ってスキャンを行なうことにより画像データを収集する。また、画像処理部１６は過去検査の画像処理条件に従って画像処理を行うことにより画像データを生成する。
【０１０９】
撮影部１４により画像データが収集されると、制御部２は画像データを表示装置１０に出力し、モニタ画面１０ａ上に所定の表示欄に画像を順次、表示させる。図５に基づいて説明したように、制御部２は、表示欄４４ａに収集された画像を順次、表示させる。
【０１１０】
このように過去検査の条件をこれから実施する現在の検査の条件に自動的に適用して、検査を実行することが可能となるため、操作者が撮影条件などを入力する手間が省け、手入力による誤入力の防止、及び、操作者の負担を軽減することが可能となる。
【０１１１】
また、制御部２が、過去検査の条件が設定可能な範囲内にないと判断した場合（ステップＳ３３、Ｎｏ）、制御部２は、医用画像診断装置１において設定可能な条件にこれから実施する現在の検査の条件を適用する（ステップＳ３５）。上記第３の動作と同様に、例えば過去検査における管電流の値が、設定可能な上限値を超えている場合は、制御部２は、設定可能な上限値をこれから実施する現在の検査の条件に適用する。そして、制御部２は、設定可能な上限値をこれから実施する条件として、表示装置１０に出力して、モニタ画面１０ａ上の所定の表示欄に撮影条件などを表示させる（ステップＳ３６）。このとき制御部２は、表示装置１０のモニタ画面１０ａ上に、過去検査内容３０とこれから実施する現在の検査内容４０とを表示させる。
【０１１２】
そして、上述したように、設定された検査計画及び条件に従って処理を実行する（ステップＳ３７）。
【０１１３】
このように、過去検査の条件をそのまま用いることができない装置であっても、その過去検査の条件に近い条件でスキャンを行なったり、画像処理を行ったりして、過去検査で得られた画像と比較するための画像を得ることが可能となる。これにより、操作者が撮影条件などを入力する手間が省け、手入力による誤入力の防止、及び、操作者の負担を軽減することが可能となる。また、過去検査の条件と同一の条件で画像データの収集が可能となるため、過去に得られた画像との比較を容易に行うことが可能となる。
【０１１４】
また、過去検査の条件が設定可能な範囲内にないと判断された場合、制御部２は表示欄４３を空欄にして表示させても良い。この場合、操作者が操作部１２を用いて撮影条件を入力することで、撮影条件を設定する。
【０１１５】
さらに、過去検査の条件を現在の検査の条件として用いた場合、上述した第２の動作及び第３の動作のように、現在の検査の条件と検査計画とを対応させて新たな検査テンプレートファイルとして検査テンプレート記憶部４に記憶させても良い。
【図面の簡単な説明】
【０１１６】
【図１】この発明の実施形態に係る医用画像診断装置の概略構成を示すブロック図である。
【図２】この発明の実施形態に係る医用画像診断装置の第１の動作を説明するためのフローチャートである。
【図３】表示装置に表示される検査内容を示す図である。
【図４】検査計画に含まれる処理の手順の１例を示す表である。
【図５】表示装置に表示される検査内容を示す図である。
【図６】表示装置に表示される検査内容を示す図である。
【図７】この発明の実施形態に係る医用画像診断装置の第２の動作を説明するためのフローチャートである。
【図８】この発明の実施形態に係る医用画像診断装置の第３の動作を説明するためのフローチャートである。
【図９】この発明の実施形態に係る医用画像診断装置の第４の動作を説明するためのフローチャートである。
【符号の説明】
【０１１７】
１  医用画像診断装置
２  制御部
４  検査テンプレート記憶部
６  過去検査データ記憶部
８  画像データ記憶部
１０  表示装置
１２  操作部
１４  撮影部
１６  画像処理部
【図１】
2006334294.tif 000003
【図２】
2006334294.tif 000004
【図３】
2006334294.tif 000005
【図４】
2006334294.tif 000006
【図５】
2006334294.tif 000007
【図６】
2006334294.tif 000008
【図７】
2006334294.tif 000009
【図８】
2006334294.tif 000010
【図９】
2006334294.tif 000011